(57)【要約】      （修正有）【課題】地上デジタルテレビジョン放送における緊急速報の受信機、送信装置、伝送システムを提供する。【解決手段】地上デジタルテレビジョン放送波の伝送制御信号を用いて緊急速報を送信する送信装置と、伝送制御信号を受信する受信機１とを備える。送信装置は、緊急速報の有無を識別するフラグと、緊急速報の種別を識別する電文情報を設定し、異なる地震情報を放送波の伝送制御信号の複数フレームにわたって伝送する際に、１つのフレームが何番目の地震情報を示しているかを表す地震情報番号を前記異なる地震情報に付加して伝送する。受信機は、地上デジタルテレビジョン放送波を受信して前記伝送制御信号を抽出し、前記伝送制御信号に含まれる電文情報の信号識別の複数種類の情報を判別し、判別した種類の緊急速報の内容として、前記地震情報番号の情報に基づいて、受信する現在のフレームが何番目の地震情報を示しているかを解析する。【選択図】図１
2010166578.tif 000002
【特許請求の範囲】
【請求項１】
地上デジタルテレビジョン放送波の伝送制御信号を用いて緊急速報を送信する送信装置であって、
緊急速報の有無を識別するフラグと、該フラグの後に緊急速報の種別を識別可能な信号識別とを含む緊急速報を格納する電文情報を設定する電文情報設定手段と、
異なる地震情報を地上デジタルテレビジョン放送波の伝送制御信号の複数フレームにわたって伝送する電文情報伝送手段とを備え、
前記電文情報設定手段は、前記複数フレームにわたって前記異なる地震情報を伝送する際に、１つのフレームが何番目の地震情報を示しているかを表す地震情報番号を前記異なる地震情報に付加して伝送することを特徴とする送信装置。
【請求項２】
地上デジタルテレビジョン放送波から伝送制御信号を受信する受信機であって、
緊急速報の有無を識別するフラグと、緊急速報の種別を識別可能な信号識別とを含む緊急速報を格納する電文情報が、異なる地震情報を伝送制御信号の複数フレームにわたって伝送される際に、各フレームが何番目の地震情報を示しているかを表す地震情報番号を付加するように予め規定されており、
地上デジタルテレビジョン放送波を受信して前記伝送制御信号を抽出する伝送制御信号抽出手段と、
前記伝送制御信号に含まれる電文情報の信号識別の複数種類の情報を判別する信号識別抽出判定手段と、
前記判別した種類の緊急速報の内容を解析する情報解析手段とを備え、
前記情報解析手段は、前記地震情報番号の情報に基づいて、受信する現在のフレームが何番目の地震情報を示しているかを解析することを特徴とする受信機。
【請求項３】
地上デジタルテレビジョン放送の伝送システムであって、
地上デジタルテレビジョン放送波の伝送制御信号を用いて緊急速報を送信する送信装置と、
地上デジタルテレビジョン放送波から伝送制御信号を受信する受信機とを備え、
前記送信装置は、
緊急速報の有無を識別するフラグと、該フラグの後に緊急速報の種別を識別可能な信号識別とを含む緊急速報を格納する電文情報を設定する電文情報設定手段と、
異なる地震情報を地上デジタルテレビジョン放送波の伝送制御信号の複数フレームにわたって伝送する電文情報伝送手段とを備え、
前記電文情報設定手段は、前記複数フレームにわたって前記異なる地震情報を伝送する際に、１つのフレームが何番目の地震情報を示しているかを表す地震情報番号を前記異なる地震情報に付加して伝送し、
前記受信機は、
地上デジタルテレビジョン放送波を受信して前記伝送制御信号を抽出する伝送制御信号抽出手段と、
前記伝送制御信号に含まれる電文情報の信号識別の複数種類の情報を判別する信号識別抽出判定手段と、
前記判別した種類の緊急速報の内容を解析する情報解析手段とを備え、
前記情報解析手段は、前記地震情報番号の情報に基づいて、受信する現在のフレームが何番目の地震情報を示しているかを解析することを特徴とする伝送システム。
【発明の詳細な説明】
【技術分野】
【０００１】
本発明は、地上デジタルテレビジョン放送において、緊急警報放送や緊急地震速報など緊急速報を送受信する技術に関し、特に、情報を受信してから警報を発するまでの時間を短縮する受信機及び送信装置、並びに伝送システムに関する。
【背景技術】
【０００２】
現在、地上デジタルテレビジョン放送の伝送システムとして、例えば、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ、ＡＲＩＢ規格ＳＴＤ‐Ｂ３１）方式が実用化されている。
【０００３】
そこでは、アナログ放送から引き続き、大規模地震や津波警報、地方自治体からの要請に応じて、放送局が緊急警報放送を実施した場合に、電源が入っていない地上デジタルテレビジョン放送の受信機を起動するための仕組みが設けられている。
【０００４】
例えば、受信機の復調動作に関わる情報を伝送するために設けられている、ＴＭＣＣ（Ｔｒａｎｓｍｉｓｓｉｏｎ ａｎｄ  Ｍｕｌｔｉｐｌｅｘｉｎｇ  Ｃｏｎｆｉｇｕｒａｔｉｏｎ  Ｃｏｎｔｒｏｌ： 伝送制御）信号と呼ばれる信号がある。
【０００５】
このＴＭＣＣ信号には、緊急警報放送用起動フラグと呼ばれる、緊急警報放送に基づきビットの値を変更される情報が記載されている。この緊急警報放送用起動フラグを検出して、その値が１である場合、緊急警報放送が行われることから、この緊急警報放送用起動フラグにより受信機を立ち上げることができる。
【０００６】
これを、待機消費電力を抑えて動作し、受信機の電源が入っていない受信機を起動して受信機に知らせる技術が開示されている（例えば、特許文献１参照）。この技術は、緊急警報放送用起動フラグを検出する伝送制御信号受信回路を備えることにより、緊急警報放送用起動フラグが１のとき、地上デジタルテレビジョン放送の受信機の電源を投入し、受信機に緊急警報放送の視聴を促す技術である。
【０００７】
一方、気象庁は、平成１９年１０月１日から緊急地震速報（例えば、非特許文献１参照）の一般への提供を開始した。これに伴い、テレビジョン並びにラジオの各放送局も前記速報が発表される際には、チャイム音とともにテレビジョン画面に表示または音声で伝えるなどの放送を実施することを開始した。尚、緊急地震速報のラジオ放送の一部は、平成２０年４月１日から開始している。
【０００８】
また、緊急地震速報を含む災害、防災情報等の地上デジタルテレビジョン放送における伝送のため、ＴＭＣＣ信号による起動フラグの送受信に加え、ＡＣ（Ａｕｘｉｌｉａｒｙ  Ｃｈａｎｎｅｌ）キャリアを利用する技術が開示されている（例えば、特許文献２参照）。ＴＭＣＣキャリアの緊急警報放送用起動フラグと、例えば部分受信セグメント内の特定のＡＣキャリアに置かれた信号種別ビットとの組み合わせにより、緊急速報の種別及び開始又は終了を提示する。その他ＡＲＩＢ規格ＳＴＤ‐Ｂ１０の緊急速報記述子及び緊急速報の映像・音声を、ＡＣキャリアを用いて伝送する。この緊急速報記述子は、信号種別ビットを含み部分受信セグメントのＡＣ信号に格納され、映像・音声は他のセグメントのＡＣ信号に格納されて伝送される。
【０００９】
特許文献２の技術においても、受信機の電源が入っていない場合、又は他のチャンネルを受信している場合に、電源投入やチャンネル切り替えを促すことが開示されており、この制御のため部分受信セグメント内のＴＭＣＣ信号及びＡＣ信号を受信し、電源投入後又はチャンネル切り替え後に、その他の災害・防災情報並びに映像・音声の再生を行う技術が提示されている。
【先行技術文献】
【特許文献】
【００１０】
【特許文献１】特開２００６−３１９７７１号公報
【特許文献２】特開２００７−２４３９３６号公報
【非特許文献】
【００１１】
【非特許文献１】“緊急地震速報の概要や処理手法に関する技術的参考資料”、気象庁地震火山部、[平成２０年１月３１日検索]、インターネット〈URL:http://www.seisvol.kishou.go.jp/eq/EEW/kaisetsu/Whats_EEW/reference.pdf〉
【発明の概要】
【発明が解決しようとする課題】
【００１２】
地上デジタルテレビジョン放送、特に部分受信のワンセグサービスの場合、無線周波数（ＲＦ）信号の復調、誤り訂正、映像等のコーデックなどの信号処理に要する遅延のため、テレビジョン画面に表示されるまでに何秒かの遅延が発生する。また、受信機の電源が入っていなければ、受信もできない。
【００１３】
地上デジタルテレビジョン放送を用いて緊急速報を伝送する場合、受信機が、緊急速報を受信して、警報を発するまでの時間を如何にして短縮するかが重要な問題である。従来の映像信号に緊急地震速報情報をスーパーインポーズして伝送する方式では、映像符号化、変調器、復調器のインターリーブ処理時間等が必要となるため、地震発生時に揺れが到達する前に緊急地震速報を受信機に届けることが困難であった。映像符号化、インターリーブ処理時間の遅れを回避するために、ＴＭＣＣ信号やＡＣ信号を用いる場合、データ伝送速度が遅いため、一般向け緊急地震速報のような詳細な地震速報を伝送しようとすると情報量が長くなり、これが遅延時間の要因となるという問題も生じる。
【００１４】
本発明の目的は、地上デジタルテレビジョン放送において、緊急警報放送や緊急地震速報など緊急速報を送受信するシステムにて、情報を受信してから警報を発するまでの時間を短縮する受信機及び送信装置、並びに伝送システムを提供することにある。
【課題を解決するための手段】
【００１５】
本発明による伝送システムにおける地上デジタルテレビジョン放送を送信する送信装置は、緊急速報の起動フラグや信号識別から構成される識別情報と緊急地震速報情報番号等の緊急速報、「強い揺れが予想される地域」や「震源情報」等の詳細情報に分けてページを構成し、警報発報に必要な識別情報をより短い周期で伝送するようにする。本発明による伝送システムにおける受信機は、電文情報の信号識別に応じた動作を実行する。なお、緊急地震速報は、地震動警報とも称される。
【００１６】
即ち、本発明による第１の態様の送信装置は、地上デジタルテレビジョン放送波の伝送制御信号を用いて緊急速報を送信する送信装置であって、緊急速報の有無を識別するフラグと、該フラグの後に緊急速報の種別を識別可能な信号識別とを含む緊急速報を格納する電文情報を設定する電文情報設定手段と、前記電文情報を地上デジタルテレビジョン放送波の伝送制御信号にて伝送する電文情報伝送手段とを備えることを特徴とする。
【００１７】
また、本発明による第１の態様の受信機は、地上デジタルテレビジョン放送波から伝送制御信号を受信する受信機であって、緊急速報の有無を識別するフラグと、緊急速報の種別を識別可能な信号識別とを含む緊急速報を格納する電文情報が、伝送制御信号にて伝送されるように予め規定されており、地上デジタルテレビジョン放送波を受信して前記伝送制御信号を抽出する伝送制御信号抽出手段と、前記伝送制御信号に含まれる電文情報の信号識別の複数種類の情報を判別する信号識別抽出判定手段と、前記判別した種類の緊急速報の内容を解析する情報解析手段とを備えることを特徴とする。
【００１８】
更に、本発明による第２の態様の送信装置は、地上デジタルテレビジョン放送波の伝送制御信号を用いて緊急速報を送信する送信装置であって、緊急速報の有無を識別するフラグと、該フラグの後に緊急速報の種別を識別可能な信号識別とを含む緊急速報を格納する電文情報を設定する電文情報設定手段と、前記電文情報を地上デジタルテレビジョン放送波の伝送制御信号にて伝送する電文情報伝送手段とを備え、前記電文情報設定手段は、正規の電文情報であるか否かを受信側で検証させるために、前記信号識別によって識別される緊急速報の情報内に、該緊急速報を伝送する際の現在時刻の情報を含めて伝送することを特徴とする。
【００１９】
また、本発明による第２の態様の受信機は、地上デジタルテレビジョン放送波から伝送制御信号を受信する受信機であって、緊急速報の有無を識別するフラグと、緊急速報の種別を識別可能な信号識別と、正規の電文情報であるか否かの検証のために、前記信号識別によって識別される緊急速報の情報内に、該緊急速報を伝送する際の現在時刻の情報とを含む緊急速報を格納する電文情報が、伝送制御信号にて伝送されるように予め規定されており、地上デジタルテレビジョン放送波を受信して前記伝送制御信号を抽出する伝送制御信号抽出手段と、前記伝送制御信号に含まれる電文情報の信号識別の複数種類の情報を判別する信号識別抽出判定手段と、前記判別した種類の緊急速報の内容を解析する情報解析手段とを備え、前記情報解析手段は、前記電文情報内の現在時刻の情報と、受信機側の現在時刻の情報とを照合して合致する場合に、前記判別した種類の緊急速報の内容を解析することを特徴とする。
【００２０】
更に、本発明による第３の態様の送信装置は、地上デジタルテレビジョン放送波の伝送制御信号を用いて緊急速報を送信する送信装置であって、緊急速報の有無を識別するフラグと、該フラグの後に緊急速報の種別を識別可能な信号識別とを含む緊急速報を格納する電文情報を設定する電文情報設定手段と、前記電文情報を地上デジタルテレビジョン放送波の伝送制御信号にて伝送する電文情報伝送手段とを備え、前記電文情報設定手段は、前記信号識別によって伝送する緊急速報を階層化して伝送するとともに、階層化された緊急速報を更に階層化して伝送するための識別子としてのページ種別の情報を含めて伝送することを特徴とする。
【００２１】
また、本発明による第３の態様の受信機は、地上デジタルテレビジョン放送波から伝送制御信号を受信する受信機であって、緊急速報の有無を識別するフラグと、緊急速報の種別を識別可能な信号識別と、前記信号識別によって伝送する緊急速報を階層化して伝送するとともに、階層化された緊急速報を更に階層化して伝送するための識別子としてのページ種別の情報とを含む緊急速報を格納する電文情報が、伝送制御信号にて伝送されるように予め規定されており、地上デジタルテレビジョン放送波を受信して前記伝送制御信号を抽出する伝送制御信号抽出手段と、前記伝送制御信号に含まれる電文情報の信号識別の複数種類の情報を判別する信号識別抽出判定手段と、前記判別した種類の緊急速報の内容を解析する情報解析手段とを備え、前記情報解析手段は、前記ページ種別の情報に基づいて、前記信号識別によって階層化された緊急速報を解析するとともに、該階層化された緊急速報を更に階層化された情報を解析することを特徴とする。
【００２２】
更に、本発明による第４の態様の送信装置は、地上デジタルテレビジョン放送波の伝送制御信号を用いて緊急速報を送信する送信装置であって、緊急速報の有無を識別するフラグと、該フラグの後に緊急速報の種別を識別可能な信号識別とを含む緊急速報を格納する電文情報を設定する電文情報設定手段と、異なる地震情報を地上デジタルテレビジョン放送波の伝送制御信号の複数フレームにわたって伝送する電文情報伝送手段とを備え、前記電文情報設定手段は、前記複数フレームにわたって前記異なる地震情報を伝送する際に、１つのフレームが何番目の地震情報を示しているかを表す地震情報番号を含めて伝送することを特徴とする。
【００２３】
また、本発明による第４の態様の受信機は、地上デジタルテレビジョン放送波から伝送制御信号を受信する受信機であって、緊急速報の有無を識別するフラグと、緊急速報の種別を識別可能な信号識別とを含む緊急速報を格納する電文情報が、異なる地震情報を伝送制御信号の複数フレームにわたって伝送される際に、各フレームが何番目の地震情報を示しているかを表す地震情報番号を含むように予め規定されており、地上デジタルテレビジョン放送波を受信して前記伝送制御信号を抽出する伝送制御信号抽出手段と、前記伝送制御信号に含まれる電文情報の信号識別の複数種類の情報を判別する信号識別抽出判定手段と、前記判別した種類の緊急速報の内容を解析する情報解析手段とを備え、前記情報解析手段は、前記地震情報番号の情報に基づいて、受信する現在のフレームが何番目の地震情報を示しているかを解析することを特徴とする。
【発明の効果】
【００２４】
本発明によれば、短時間での速やかな緊急速報の伝送が可能となる。特に、「現在時刻」の検証結果を元に、正規の電文情報であるか否かを検証できるようにするとともに、「信号識別」や「ページ種別」の情報に応じた階層的な情報を伝送可能にする。特に、限られたビット数の伝送制御信号（ＴＭＣＣ信号又はＡＣ信号）では極めて効率的な情報伝送が可能となる。
【図面の簡単な説明】
【００２５】
【図１】本発明による実施例１の伝送システムにおける受信機を示す図である。
【図２】本発明による実施例１の伝送システムにおける受信機に用いるＡＣキャリアを表す図である。
【図３】本発明による実施例１の伝送システムにおける受信機に用いるＴＭＣＣキャリアを表す図である。
【図４】本発明による実施例１の伝送システムにおける受信機にて起動フラグ監視のための間欠受信モードを表す図である。
【図５】本発明による実施例１の伝送システムにおける受信機にて信号識別別の動作を表すフローチャートである。
【図６】本発明による実施例１の伝送システムにおける階層型電文情報の構成例を表す図である。
【図７】本発明による実施例１の伝送システムにおける電文情報の構成例を表す図である。
【図８】本発明による実施例１の伝送システムにおける電文情報の構成例を表す図である。
【図９】本発明による実施例１の伝送システムにおける信号識別別の動作を表すフローチャートである。
【図１０】本発明による実施例２の伝送システムにおける電文情報の構成例を表す図である。
【図１１】本発明による実施例２の伝送システムにおける階層型電文情報の構成例を表す図である。
【図１２】本発明による実施例２の伝送システムにおける受信機を示す図である。
【図１３】本発明による実施例２の伝送システムにおける受信機における信号識別別の動作を表すフローチャートである。
【図１４】本発明による実施例１及び実施例２の伝送システムにおける受信機にて用いられる一般向け緊急地震速報の地域の区分の例を示す図である。
【図１５】本発明による実施例１及び実施例２の伝送システムにおける受信機にて用いられる一般向け緊急地震速報の地域の区分の例を示す図である。
【発明を実施するための形態】
【００２６】
まず、本発明による実施例１の伝送システムについて説明する。
【実施例１】
【００２７】
本発明による一実施例の伝送システムにおける受信機は、緊急速報（以下、緊急警報放送及び緊急地震速報を含む情報を総括して、緊急速報と称する）を伝送する地上デジタルテレビジョン放送のサービスにおいて、伝送制御信号（即ち、ＴＭＣＣ信号又はＡＣ信号）により伝達される緊急速報を受信する装置であり、緊急速報の情報をすみやかに受信機のユーザに通知することを可能にする装置である。
【００２８】
図１に本発明による実施例１の受信機１を示す。受信機１を構成する伝送制御信号の受信部分は、主に、伝送制御信号同期確立部２、緊急速報解析部３、及び、警告発生部１４から構成される。また、伝送制御信号同期確立部２、緊急速報解析部３、及び、警告発生部１４の電源供給を制御するために、受信機１は、同期保持・電源制御部４と、電源２１と、電源スイッチ２２,２３,２５とを備える。また、伝送制御信号同期確立部２は、周波数変換部６と、ＡＤ変換部７と、ＦＦＴ８と、伝送制御信号抽出部９と、フレーム同期検出部１５と、起動フラグ復調部１６とを備える。更に、緊急速報解析部３は、緊急情報抽出判定部１１と、誤り訂正部１２と、詳細情報解析部１３とを備える。更に、同期保持・電源制御部４は、フレーム同期保持部１７と、タイミング制御部１８と、起動フラグ監視部１９と、電源制御部２０とを備える。
【００２９】
ＡＣ信号は、１フレームが２０４シンボルで構成され、例えば、ＩＳＤＢ−Ｔ方式の地上デジタルテレビジョン放送波の部分受信セグメント（セグメント番号＃０）のモード３の同期変調部の場合、キャリア番号＃７、＃８９、＃２０６、＃２０９、＃２２６、＃２４４、＃３７７及び＃４０７の８箇所にあるＡＣキャリアによって運ばれる信号である（図２参照）。ＡＣ信号を用いて緊急速報を伝送する場合には、ＴＭＣＣ信号と同一フレーム長であることから、例えば、ＴＭＣＣ信号と同一の「差動復調の基準[１]」（図２及び図３に示す「基準」）及び「同期信号［１６］」を設け、更に、「緊急情報データ［１０５］」および「リザーブビット［８２］」を設けた電文情報の一例として、送信装置から伝送されるように予め規定されている（[]は、ビット数を表す）。ここで、「リザーブビット［８２］」は、「緊急情報データ[１０５]」の情報の誤り訂正のための「パリティビット」として利用して伝送することもできる。「緊急情報データ［１０５］」の一例とともに詳細な例は後述する。
【００３０】
ＴＭＣＣ信号は、２０４シンボルで構成され、例えば、ＩＳＤＢ−Ｔ方式の地上デジタルテレビジョン放送波の部分受信セグメント（セグメント番号＃０）のモード３の同期変調部の場合、キャリア番号＃１０１、＃１３１、＃２８６及び＃３４９の４箇所にあるＴＭＣＣキャリアによって運ばれる、受信機１の復調動作に関わる情報を伝送するために設けられている信号として知られている（図３参照）。ＴＭＣＣ信号を用いて緊急速報を伝送する場合には、ＴＭＣＣ信号は、ＩＳＤＢ−Ｔ方式の地上デジタルテレビジョン放送波の規格に定められている「ＴＭＣＣ情報」内の「リザーブ [１２]」を利用して情報を伝送する。ここで、ＡＣ信号と比して、任意に使用できる伝送情報枠が少なくなるため、より多くの情報を短時間に伝送できるように、例えば後述する信号識別[３]を伝送して、他の詳細な緊急速報の詳細情報をＡＣ信号に割り当てるようにしてもよい。
【００３１】
従って、例えば放送事業者は、気象庁から緊急地震速報を受信した場合、ＩＳＤＢ−Ｔ方式の地上デジタルテレビジョン放送に係る送信装置によって、緊急速報の有無を識別するフラグと、緊急速報の種別を識別可能な信号識別とを含む緊急速報を格納する電文情報（例えば後述する緊急地震速報の情報）を、４か所のＴＭＣＣキャリアが運ぶＴＭＣＣ情報のリザーブ、及び／又は８箇所のＡＣキャリアが運ぶＡＣ情報に格納して、受信機１に向けて送信する。尚、ＩＳＤＢ−Ｔ方式の地上デジタルテレビジョン放送に係る送信装置のハードウェア構成は既知であり、図示しない。しかしながら、伝送制御情報（ＴＭＣＣ又はＡＣ）を用いて電文情報を伝送する送信装置、及びこの電文情報を受信して特有の動作を行う受信機１、並びにこれらの送信装置及び受信機１から構成される伝送システムは、以下に説明するように、特有の機能を発揮する。
【００３２】
尚、本発明の理解を容易とするために、以下においてはＩＳＤＢ−Ｔ方式の地上デジタルテレビジョン放送におけるモード３を用いる場合について説明するが、他のモードにおいても適用可能であることに留意する。
【００３３】
図１を再び参照して、本発明による実施例１の伝送システムにおける受信機１を説明する。
【００３４】
周波数変換部６は、アンテナ５から入力された地上デジタルテレビジョン放送波のうち所定のフィルタにより不要な周波数成分を除去した後、指定されたチャンネルを選択し、中間周波信号に周波数変換するとともに適宜増幅して出力する。このチャネル選択は、受信機１にて予め定めておくこともできる。
【００３５】
ＡＤ変換部７は、周波数変換部６から出力される中間周波信号をデジタルに変換し、デジタルベースバンド信号を送出する。
【００３６】
ＦＦＴ８は、ＯＦＤＭシンボルの有効シンボル期間についてＦＦＴ（Ｆａｓｔ Ｆｏｕｒｉｅｒ Ｔｒａｎｓｆｏｒｍ）演算を行い、ＯＦＤＭ形式のストリームに復調する。尚、有効シンボル期間は、ガードインターバル相関などによりシンボル同期を行って規定することができ、予め定めた伝送モードに従ったＦＦＴサンプル周波数でＦＦＴ演算を行う。
【００３７】
伝送制御信号抽出部９は、受信信号のＯＦＤＭ形式のストリームから伝送制御信号のキャリア（８本のＡＣキャリア又は４本のＴＭＣＣキャリア）を抽出して復調し、ＯＦＤＭ形式のストリームからＤＢＰＳＫで遅延検波した後、０又は１のレベル判定を行い、伝送制御信号（ＡＣ信号又はＴＭＣＣ信号）のビットストリームを得る。抽出されたＡＣキャリア又はＴＭＣＣキャリアは、フレーム同期検出部１５及び起動フラグ復調部１６に供給され、同期確立後のＡＣ信号又はＴＭＣＣ信号内の信号は、緊急情報抽出判定部１１に供給される。
【００３８】
尚、伝送制御信号抽出部９によって、ＯＦＤＭフレーム中の全てのＡＣキャリア及び全てのＴＭＣＣキャリアの双方を抽出する場合には、ＡＣキャリアから抽出した連続するＡＣ信号のフレームを構成するとともに、ＴＭＣＣキャリアから抽出した連続するＴＭＣＣ信号のフレームを構成して、８フレームのＡＣ信号のフレームと４フレームＴＭＣＣ信号のフレームを交互に組み合わせた連続フレーム構成とすることができるが、それ以外にも８フレームのＡＣ信号のフレームと４フレームＴＭＣＣ信号のフレームを予め規定した任意の組み合わせの連続フレームとして構成することもできる。
【００３９】
フレーム同期検出部１５は、伝送制御信号抽出部９が復調した伝送制御信号（ＡＣ信号又はＴＭＣＣ信号）のビットストリームと、伝送制御信号（対応するＡＣ信号又はＴＭＣＣ信号）に「同期信号」の予め定めた例えばモード３のパターンとの一致検出を行って、両者が一致したとき復調された伝送制御信号の先頭のタイミングでフレーム同期信号（リセットパルス）を発生する。また、フレーム同期信号に基づいて緊急速報のフレーム同期確率の有無を示す緊急速報同期確率情報を生成する。
【００４０】
誤り訂正部１２は、フレーム同期検出部１５によって生成されたフレーム同期信号に同期して、緊急速報の情報を、例えば差集合巡回符号方式のパリティビットを有する場合はその符号に基づき、誤り訂正する。尚、誤り訂正部１２は、複数の誤り訂正を組み合わせて用いることができ、例えば、パリティ方式、チェックサム方式、巡回冗長検査（ＣＲＣ：Ｃｙｃｌｉｃ Ｒｅｄｕｎｄａｎｃｙ Ｃｈｅｃｋ）方式などが挙げられる。ここで云うパリティ方式とは、データ列の合計が偶数か奇数かを判定することで誤り検出する方式である。また、チェックサム方式とは、ビット単位のデータ列をバイト単位のデータ列に変換し、その総和の下位１バイトを抽出、判定する方式である。更に、巡回冗長検査（ＣＲＣ）方式とは、別途定められた生成多項式にて求めたＣＲＣパリティビットを判定する方式である。以上、それぞれの方式の概要について説明したが、詳細な説明は既知なので割愛する。
【００４１】
起動フラグ復調部１６は、フレーム同期検出部１５が検出したフレームタイミングに従い伝送制御信号抽出部９で抽出された、８本のＡＣ信号（又は４本のＴＭＣＣ信号）のビットストリームから起動フラグ信号の値を検出し、起動フラグ監視部１９に出力する。
【００４２】
同期保持・電源制御部４におけるフレーム同期保持部１７とタイミング制御部１８、起動フラグ監視部１９と電源制御部２０は、常時、電源２１から給電されている。
【００４３】
フレーム同期保持部１７は、フレーム同期検出部１５が検出したフレームタイミングでフレーム同期信号を発生してこのタイミングを保持する。例えば、フレーム同期保持部１７は、クロック発生器とカウンタで構成され、フレーム同期検出部１５が出力するフレーム同期信号に基づき制御される、クロック発生器で発生したクロックをカウンタでカウントし、カウント値が所定値となる毎にフレームパルスを発生すると共にカウント値をフレーム同期信号（リセットパルス）に従ってリセットし、このフレームパルスをタイミング制御部１８に供給する。これにより、フレーム同期保持部１７は自己保持したフレームパルスを発生することができる。
【００４４】
タイミング制御部１８は、フレーム同期保持部１７から送出されるフレームパルスと、フレーム同期検出部１５から送出される緊急速報同期確立情報に基づき、後述するフレーム間間欠受信モード、フレーム内間欠受信モード、これらの組み合わせの間欠受信モードのいずれかを決定し、各間欠受信モードのタイミングでオン／オフ（０又は１の値）の制御信号を送出する。
【００４５】
起動フラグ監視部１９は、起動フラグ復調部１６が出力する起動フラグ信号の値を取得して、その値をサンプル＆ホールドするとともに、電源制御部２０にそのサンプル＆ホールド値を出力する。
【００４６】
なお、起動フラグ監視部１９が前述のように起動フラグの値を取得して監視する際の起動フラグ信号を検出するタイミングも、フレーム同期保持部１７が出力するフレームパルスを基準に制御されている。
【００４７】
電源制御部２０は、起動フラグ監視部１９の出力値が起動フラグ信号の‘１’（緊急速報が無い通常の状態であること）を検出している間は、伝送制御信号同期確立部２の電源供給を起動フラグ信号の期間（前述したフレーム同期を行う際には同期信号の期間も含む期間）のみ供給するように第１の電源スイッチ２２をＯＮ／ＯＦＦ制御する。一方で、起動フラグ監視部１９が、起動フラグ信号の‘０’（緊急速報が発報された状態であること）を出力している間、電源制御部２０は、伝送制御信号同期確立部２への電源供給を継続して行うように第１の電源スイッチ２２をＯＮに制御するとともに、緊急速報解析部２への電源供給を開始するように第２の電源スイッチ２３をＯＮに制御する。より具体的には、起動フラグ監視部１９は、起動フラグ信号が示す緊急速報の有無を毎フレームにおいて監視し、通常の状態（緊急速報が出ていない状態が継続）の場合には、図示しないフレームカウンタがフレームの値を計数（ｎ＋＋、整数ｎの値を１ずつ加算）し、フレーム数Ｎｆに達する度に、ｎ＝０に戻す一方、電源制御部２０は、同期信号を再検出するように伝送制御信号同期確立部２への電源供給の切り替えを行う第１の電源スイッチ２２をオン／オフする。
【００４８】
従って、電源制御部２０は、緊急速報がある旨を示す起動フラグ信号値‘０’から、平常時の‘１’の状態に変更されるのを判別した場合には、タイミング制御部１８からの同期確立した制御信号のタイミングで、起動フラグ信号の値のみを起動フラグ監視部１９にて常時監視することができるように、伝送制御信号同期確立部２への電源供給を第１の電源スイッチ２２によって制御するとともに、緊急速報解析部３への電源供給を遮断するように第２の電源スイッチ２３の切り替えを行う。尚、起動フラグ信号を１ビットとして説明しているが、‘００’又は‘１１’の２ビットして構成して冗長性を持たせることもできる。
【００４９】
以上がフレーム内間欠受信モードであり、その一例を図４を参照しながら説明する。
図４（Ａ）は、ＴＭＣＣ信号の連続フレームを構成した場合の例を示しており、図４（Ｂ）は、ＡＣ信号の連続フレームを構成した場合の例を示している。ＴＭＣＣ方式における起動フラグ信号の監視状態にある場合には、「同期情報」とＴＭＣＣ情報内の「起動フラグ」とが１フレーム内で離れた位置にあるものの、電源制御部２０は、適切な立ち上がり時間（図示Ｐ１）を確保して、起動フラグの監視時（図示Ｔ２）及び同期確立時（図示Ｔ０）のみ電源供給するように間欠的に伝送制御信号同期確立部２の電源供給を制御することができる。また、ＡＣ方式における起動フラグ信号の監視状態にある場合には、「同期情報」とＡＣ情報内の「起動フラグ」とが１フレーム内で図４（Ｂ）に示すように隣接位置にあるため、電源制御部２０は、適切な立ち上がり時間（図示Ｐ１）を確保して、同期確立兼起動フラグ信号の監視時（図示Ｔ１’）及び起動フラグ信号監視時（図示Ｔ２’）のみ電源供給するように間欠的に伝送制御信号同期確立部２の電源供給を制御することができる。いずれの方式を用いても、極めて消費電力を節約しながら、緊急速報の情報を確実に、且つ即時に取得できる。尚、連続するＴＭＣＣ信号又はＡＣ信号の監視フレーム（Ｎｆフレーム）の制御は、毎フレームで行うことなく、所定のフレーム間隔で間欠的に行う（いわゆるフレーム間間欠受信モード）ようにすれば、フレーム内間欠受信モードとフレーム間間欠受信モードとの併用で、より消費電力を節約して、緊急速報の情報を確実に、且つ即時に取得できるようになる。
【００５０】
前述したように、電源制御部２０は、緊急速報の全ての情報のみを取得するように、フレーム内間欠受信動作又はフレーム間間欠受信モードで、緊急速報解析部３に電源供給するように制御することもでき、特に、フレーム間間欠受信動作で動作する場合に、複数のフレーム間で多数決判定した結果を送出するように動作させることもできる。
【００５１】
フレーム間間欠受信モードは、例えば、ＡＣ信号の同期が未確立を示す緊急速報同期確立情報を供給されている場合に決定される。この場合、第１の電源スイッチ又は第２の電源スイッチのオン継続時間は、最低１フレーム以上とする。例えば、オン継続時間として１フレームのみを用いる場合には、常時ＯＮにする場合と比較して受信機１の消費電力を大幅に低減することができる。更に、例えば２フレームを用いる場合には、偶数パリティを利用して、受信信号の信頼性を高めるように受信機１を構成することができる。或いは又、例えば３フレームを用いる場合には、多数決判定して、受信信号の信頼性を高めるように受信機１を構成することができる。
【００５２】
尚、地上デジタルテレビジョン放送の送信モードがモード３でガードインターバル比（ＧＩ比）１／８の場合、１フレームは２３１．３３６ｍｓｅｃである。また、フレーム間間欠受信モードでは伝送制御信号同期確立部２０の電源投入タイミングの制約はなく、例えばオン／オフ間隔は所定値（例えば１０秒間隔）とする。
【００５３】
また、フレーム内間欠受信モードは、例えば、ＡＣ信号の同期が確立していることを示す緊急速報同期確立情報を供給されている場合に決定される。この場合、後述する図７に示すＡＣ信号フォーマットを用いて説明すると、第１の電源スイッチ２２又は第２の電源スイッチ２３のオン継続時間は、図４に示す１フレームを例えば２０．４１２ｍｓｅｃ＝（１８／２０４）フレームとし、前のフレームの最後のシンボルから電源を投入し、所要のビット、例えば既知信号の受信が終了した時点で電源を遮断する。あるいは、フレーム同期保持部１７がある程度高い精度を保てる状態であるならば、「同期信号」の一致を検出する周期を伸ばして、大半は、３．４０２ｍｓｅｃ＝（３／２０４）フレームとし、「同期信号」の最後のビット、「起動フラグ信号」、及びそれに続く「既知信号」のみの期間電源を投入し、それ以外は電源を遮断することもできる。
【００５４】
このように、ＡＣ信号の同期確立時の伝送制御信号同期確立部２への電源供給時間を１８シンボル（同期確立時）あるいは３シンボル（起動フラグ監視時）とすることで、待機消費電力を低減することができる。尚、図１には記載しないＡＧＣ（自動利得制御）回路などの立ち上がり動作を考慮する必要のある場合には、該当する時間分早く電源を投入する。
【００５５】
また、ＦＦＴ８及び起動フラグ復調部１６の動作において、一定シンボル分メモリ等に保持する必要がある。そのため、後述のフレーム内間欠受信モードにより動作する場合には、消費電力の大きい前段の処理部の動作を節約するために、周波数変換部６やＡＤ変換部７とそれ以降の処理部との間で電源投入及び電源遮断のタイミングをずらすことで消費電力を抑えることが可能である。
【００５６】
よって、伝送制御信号同期確立部２への電源供給の切り替えを行う第１の電源スイッチ２２は、複数の系統（例えば２系統）の処理部の各々に接続して個別に電源供給することができる。
【００５７】
例えば、ＦＦＴ８の動作においては、時間軸の受信信号を周波数軸に変換するにあたり、少なくとも１シンボル分のサンプルを一旦メモリ等に保持して、積算演算などを行うことから、当該処理時間に相当する遅延が発生する。そのため、フレーム内間欠受信モードにより動作する場合には、消費電力の大きいＲＦ部（即ち、周波数変換部６の受信部）の電源投入（オン）時間を効果的に減ずる目的で、電源投入、電源遮断のタイミングを後続のＦＦＴ８などの処理部と少なくとも１シンボルずらして動作させる。
【００５８】
また、例えば前述したように間欠受信モードで起動フラグがオンである場合など、緊急速報解析部３への電源供給が為された場合には、緊急情報抽出判定部１１、誤り訂正部１２、及び詳細情報解析部１３が起動する。フレーム同期保持部１７によって生成されたフレーム同期信号に同期して、まず緊急情報抽出判定部１１は、伝送制御信号のビットストリームを得て、必要であれば、伝送制御信号をダイバーシティ合成した後、伝送制御信号内の起動フラグを判別し、起動フラグに緊急速報が有る旨を表す場合には、受信した伝送制御信号のビットストリームを誤り訂正部１２に送出する。
【００５９】
誤り訂正部１２は、前述したように、受信した伝送制御信号のビットストリーム（緊急情報データ）をパリティビットの値に基づき例えば差集合巡回符号方式を用いて誤り訂正し、訂正した緊急情報データを詳細情報解析部１３に送出する。
【００６０】
このとき、誤り訂正部１２は、伝送制御信号のビットストリームの誤り訂正の可否を確認する。このビットストリームの訂正ができないような誤りがあった場合には、詳細情報解析部１３へのデータ送出を行わず、詳細情報解析部１３に、受信誤りがあったことを知らせる制御信号を出力し、伝送制御信号同期確立部２に対して起動フラグ信号の監視を継続する。このために、例えば、誤り訂正部１２は、フレーム同期検出部１５及び起動フラグ復調部１６に対して再同期又は再復調させる旨の制御信号を送出することができる。
【００６１】
詳細情報解析部１３は、「信号識別」（後述する図７）により電文情報の複数種類の情報を判別し、判別した信号種別に対応する緊急情報データの内容を解析する。詳細情報解析部１３は、解析した結果に応じて、信号識別による信号種別に対応する緊急速報があると判断した場合には、第３の電源スイッチ２５をＯＮにする制御信号を送出し、警告発生部１４の電源供給がない場合に、強制的に電源２１から警告発生部１４への電源供給を行うようにする。尚、詳細情報解析部１３による警告発生部１４への電源供給制御は、別の態様で構成してもよく、ソフトウェアスイッチなどの他の任意の態様で実現することもできる。
【００６２】
警告発生部１４は、受信機１が備える表示器に文字で表示するか、受信機１が備えるスピーカーから音で発生させるか、受信機１が備えるバイブレータによる振動警告を発するか、又は通常動作時とは異なる動作で知覚的に警告を発生する。或いは又、受信機１が携帯電話、携帯情報端末（ＰＤＡ）、腕時計、置時計、パーソナルコンピュータ等の何らかの機器に具備される場合には、これらの機器の機能を用いて、スピーカーから音で発生させるか、バイブレータによる振動警告を発するか、又は通常動作時とは異なる動作で知覚的に警告を発生するようにすることもできる。尚、警告発生部１４は、「信号識別」がコンテンツ配信サービスを表す場合には、警告を発する代わりに、受信したコンテンツ配信を表示することができる。
【００６３】
次に、本発明による一実施例の受信機１の基本動作について説明する。図５は、緊急速報を受信する受信機１の基本動作を示すフローチャートである。尚、緊急地震速報及び緊急警報放送の緊急速報（以下の説明で明らかになるが、任意の情報サービスのプッシュ型コンテンツ配信の情報を含めることができる）に関する情報を総括して緊急速報と称することにする。尚、受信機１がコンテンツ配信を受信して表示する機能を有しているものとする。
【００６４】
図１に記載されているように、本実施例の受信機１は、平常時、起動フラグ監視部１９によって、決められた起動フラグの有無（以下、「有」は、緊急放送があることを意味する。上記説明ではビットの値‘０’）を監視している（ステップＳ１）。起動フラグが「有」と判定した場合に、緊急情報抽出判定部１１により起動フラグが「有」であることが真であると判断した場合に、詳細情報解析部１３によって、起動フラグの後に伝送される「信号識別」の有無を判定する（ステップＳ２）。この「信号識別」がある場合に、詳細情報解析部１３によって、「信号種別」によって定義される種別に従う詳細情報を解析し（ステップＳ３１〜Ｓ３３）、解析した結果を警告発生部１４によって警告を発する。例えば、警告発生部１４で受信機１が具備する表示装置に詳細情報を表示する（ステップＳ４１〜Ｓ４３）。従って、詳細情報解析部１３は、「信号識別」の判定結果によって、受信機１に異なる動作を実行させることができ、例えば「信号識別」の内容が信号識別Ａを表す場合には、それに応じた詳細情報解析（ステップＳ３１）及び情報表示（ステップＳ４１）を行い、「信号識別」によって判別した他の信号種別Ｂ，Ｃの場合にも、それに応じた詳細情報解析及び情報表示を行う。
【００６５】
図６は、緊急速報を伝送する階層型の信号フォーマット例を示している。ＡＣ信号やＴＭＣＣ信号は、ＯＦＤＭの１フレーム単位（モード３、ガードインターバル１／８の場合、約２３１ミリ秒）で伝送される。図６に示す信号フォーマットでは、重要度の高い「起動フラグ」及び「信号識別」を全てのフレームで伝送している。その後、緊急速報の基本情報及び詳細情報の順に信号を階層的に構成する。ここで、各信号の階層構成に関して、「起動フラグ」は、１フレーム毎とし、「信号識別」も１フレーム毎とし、「緊急速報」は、ｍ＊ｎフレーム毎にｎフレーム連続するものとし、「詳細情報」は、ｍ×ｎフレーム毎で構成する。尚、ｍ，ｎは、１以上の自然数である。受信機１は、フレーム毎に送られてくる「起動フラグ」及び「信号識別」を監視して、詳細情報解析部１３によって「信号識別」ごとに定義された動作を実行する。このように構成することで、全ての「信号識別」に係る情報をＡＣ信号やＴＭＣＣ信号を用いて伝送する必要がなくなり、必要な詳細情報のみを適切に伝送することができるようになる。
【００６６】
図７に、緊急地震速報をＡＣ信号で伝送する場合の信号フォーマット例を示す。ＡＣ信号は、２０４シンボルで構成されており、「差動復調の基準」、「同期信号」、「誤り訂正符号」をＴＭＣＣと同じ構成にした場合の例を示している。フレーム先頭からＴＭＣＣと同様、「差動基準［１］」及び「同期信号［１６］」を伝送する。
【００６７】
「差動復調の基準」及び「同期信号」は、ＴＭＣＣ信号と同一とし、ＩＳＤＢ−Ｔ方式の地上デジタルテレビジョン放送の場合、そのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式の１シンボルを基準に、ＴＭＣＣ信号と同じ２０４シンボルにＤＢＰＳＫ信号の２０４ビットを割り振り、１フレームとする構成とする。
【００６８】
「同期信号」は、ＴＭＣＣ信号と同様に同期を取るのに用いれられ、１フレーム毎に１６ビット送信され、奇数フレームと偶数フレームとで位相が反転する。その値は奇数フレームの表記で「００１１０１０１１１１０１１１０」である。
【００６９】
「差動復調の基準」は、ＴＭＣＣ信号と同様に、キャリア番号ｉのＳＰ（Ｓｃａｔｔｅｒｅｄ  Ｐｉｌｏｔ）信号に割り当てられるＢＰＳＫ信号の値Ｗｉと同じ生成多項式（ｘ１１＋  ｘ９＋１）に基づく値であるが、本電文情報の伝送には、ＡＣキャリアを用いる。例えば、ＩＳＤＢ−Ｔ方式の地上デジタルテレビジョン放送波の部分受信セグメント（セグメント番号＃０）におけるＡＣキャリアは、モード３の同期変調部の場合、キャリア番号＃７、＃８９、＃２０６、＃２０９、＃２２６、＃２４４、＃３７７及び＃４０７の８箇所にある。この８箇所のＡＣキャリアが運ぶＡＣ情報に記述の「差動復調の基準」として格納されるＷｉは、各々０、０、０、０、０、１、１及び０である。尚、ＢＰＳＫ以外の変調方式を用いることもでき、前述の差集合巡回符号方式とともに、送信側及び受信側で利用する方式は、予め定めておくようにする。
【００７０】
本実施例の送信装置は、「同期信号」の次に「起動フラグ［１］」を伝送する。受信機１は、前述したように、この起動フラグの部分のみを間欠受信して監視することができる。「起動フラグ」の次に配置した「既知信号［１］」は、起動フラグ復調の際に伝送路推定を行うのに予め定義した固定の基準信号が存在するほうが復調精度を向上させることができるために設けているが、必ずしも必要とされるものではない。
【００７１】
送信装置は、「既知信号［１］」の次に、「信号識別［３］」を伝送する。本例では、以下のように定義した「信号識別」を伝送する。
【００７２】
“０００”：緊急地震速報（該当地域有）
“００１”：緊急地震速報（該当地域無）
“０１０”：緊急地震速報（該当地域有）の試験信号
“０１１”：緊急地震速報（該当地域無）の試験信号
“１００”：緊急警報放送
“１０１”：第１プッシュ型サービス起動信号
“１１０”：第２プッシュ型サービス起動信号
“１１１”：緊急速報無し
【００７３】
受信機１の詳細情報解析部１３は、詳細情報解析部１３によって判定した信号識別に応じて、それぞれの「信号識別」毎に定義された動作を実行する。概略的には、詳細情報解析部１３は、「信号識別」の０００〜１１０を識別した場合、「緊急地震速報（地震動警報情報あり）」か、「緊急警報放送」か、「プッシュ型コンテンツ配信」を識別する。「信号識別」の１１１を識別した場合、前述の起動フラグ検出が誤動作であることを把握でき、詳細情報の解析を行わずに起動フラグの監視を再継続する動作に移行して、誤検知を防止することができる。尚、緊急地震速報における該当地域の有無の相違は、現在受信中の放送エリアに強い揺れが推定される地域が含まれている場合に，以降の詳細情報の解析を待たずに所定の動作を実行するためである。また、緊急地震速報の試験信号は、試験的な送信であることを受信機１側に知らしめるためである。さらに、プッシュ型サービス起動信号を２つ用意しているのは、任意のコンテンツサービスを提供するのに異なるコンテンツ配信を識別して同時に送信するような場合を想定しているためである。
【００７４】
詳細情報解析部１３は、「緊急警報放送」であると識別した場合は、対応する放送信号を受信すべく受信機１を制御し、「プッシュ型コンテンツ配信」であると識別した場合は、対応するコンテンツを受信すべく受信機１を制御する。従って、「緊急警報放送」又は「プッシュ型コンテンツ配信」の場合には、電文情報内の詳細情報は任意の態様で利用できるため、スタッフィングビットとして用いることができる（図８参照）。以下の図７に関する説明は、詳細情報解析部１３が、「緊急地震速報（地震動警報情報あり）」であると識別し、その詳細情報を解析する場合である。
【００７５】
詳細情報解析部１３は、次に伝送される「放送地域識別［１１］」を解析して放送信号の送信元（放送事業者）を特定することができる。これは、「放送地域識別」、「県複フラグ」及び「地域事業者識別」から構成され、現在受信している放送信号の送信元（放送事業者）を特定する。
【００７６】
尚、「放送地域識別［１１］」は、非特許文献（ＡＲＩＢ  ＴＲ−Ｂ１４地上デジタル放送運用規定）に示されている「地域識別［６］」、「県複フラグ［１］」、「地域事業者識別［４］」を用いることで、全国の放送地域及び放送事業者を特定することが可能となる。放送事業者の識別は、放送地域の識別を可能とするのみならず、受信機１に更なる機能を追加することができる。例えば、受信機１に、緊急地震速報の受信時に係わらず、あるいは、緊急地震速報のない平常時にＡＣ信号を受信する場合、詳細情報解析部１３が解析した当該放送地域の情報に応じて当該地上デジタルテレビジョン放送波のチャンネル設定を自動設定する機能を設けることができる。これにより、受信機１がその位置を移動したときなど、新たに放送波スキャンを必要とするときに、受信機１が放送ＴＳを受信してネットワーク識別を行うようよりも速く、放送波のチャンネル情報と放送事業者の識別並びに放送地域との対応関係を確認することができるようになる。
ここで、放送地域の特定のみが目的の場合は、送信装置は、「県複フラグ[１]」，「地域事業者識別［４］」を伝送する必要は無い。
【００７７】
詳細情報解析部１３は、次に伝送される「地震情報[８８]」を解析する。「地震情報[８８]」は、「地震基本情報[２２]」及び「地震詳細情報[６６]」から構成される。
【００７８】
「地震基本情報[２２]」は、「発報中の地震情報総数」、「地震情報Ｎｏ．」、「地震ＩＤ」、「緊急地震速報情報番号」、及び「電文種別コード」からなる。
【００７９】
「発報中の地震情報総数」は、図６に示すｍに相当する。即ち、同時発報されている地震情報の総数を表す。
【００８０】
「地震情報Ｎｏ．」は、現在のフレームが何番目の地震情報を示しているかを表す。
【００８１】
「地震ＩＤ」は、気象庁が発信する一般向け緊急地震速報のうち、下位４ビットを伝送する。
【００８２】
「電文種別コード」は、一般向け緊急地震速報の場合は、“０”で表され、情報キャンセルの場合は、“１”で表される。
【００８３】
「地震詳細情報[６６]」は、奇数フレームと偶数フレームの２フレーム構成とし、奇数フレームでは、「強い揺れが推定される地域の情報[５９]」を伝送し、偶数フレームでは「震源の情報」を伝送する。
【００８４】
「強い揺れが推定される地域の情報[５９]」に関して、「ページ番号［１］」には、例えば「強い揺れが推定される地域の情報」を伝送する奇数フレームの場合には“１”で表わされ、「震源の情報[５９]」を伝送する偶数フレームの場合には“０”で表わされる。
【００８５】
「放送エリア内地域情報［４０］」には、「放送地域識別」で特定される放送エリア内で強い揺れが予想される地域が含まれている場合にはその情報が伝送される。例えば、「放送地域識別［１１］」で特定される放送地域の中に含まれる一般向け緊急地震速報の地域の区分の例を図１４及び図１５に示す。図１４及び図１５に示すように、地域情報が最も多く含まれるのは「北海道域」の広域放送の放送エリアでその地域数は３８である。本例では、２ｂｉｔの予備を付加して「放送エリア内地域情報」に４０ｂｉｔを使用している。
【００８６】
「地方情報[１６]」には、一般向け緊急地震速報の「強い揺れが推定される地方」の情報が伝送される。一般向け緊急地震速報の地方の区分を表１に示す。表１に示す通り、地方情報の地方数は１４である。本例では、２ｂｉｔの予備を付加して「地方情報」に１６ｂｉｔを使用している。
尚、「信号識別」において、“０００”を「緊急地震速報（該当地域有）」、“００１”を「緊急地震速報（該当地域無）」と定義しているので、この「該当地域有」と「該当地域無」の区別によっても、緊急地震速報が該当する地域を、ほぼ都道府県単位の各放送局が緊急速報を送信する放送エリアの範囲で判別することができる。
【００８７】
「震源の情報［５９］」には、以下の詳細情報が含まれる。
【００８８】
送信装置は、「ページ番号［１］」にて、例えば「強い揺れが推定される地域の情報」を伝送する奇数フレームの場合には“１”を伝送し、「震源の情報」を伝送する偶数フレームの場合には“０”を伝送する。
【００８９】
送信装置は、「地震発生時刻［１７］」にて、一般向け緊急地震速報の地震発生時刻のうちの時［５］、分［６］、及び秒［６］の部分を伝送する。
【００９０】
送信装置は、「震源の緯度［１０］」にて、一般向け緊急地震速報の「震源の緯度情報」を伝送する。
【００９１】
送信装置は、「震源の経度［１１］」にて、一般向け緊急地震速報の「震源の経度情報」を伝送する。
【００９２】
送信装置は、「震源の深さ［１０］」にて、一般向け緊急地震速報の「震源の深さ」を伝送する。
【００９３】
送信装置は、「マグニチュード［７］」にて、一般向け緊急地震速報（高度利用者向け緊急地震速報コード電文部分に記載）の「マグニチュード」を伝送する。
【００９４】
送信装置は、「最大予測震度[３]」にて、一般向け緊急地震速報（高度利用者向け緊急地震速報コード電文部分に記載）の「最大予測震度」を伝送する。例えば、「最大予測震度」として定義する例は、以下の通りである。
【００９５】
“０００”：最大予測震度３
“００１”：最大予測震度４
“０１０”：最大予測震度５−（５弱）
“０１１”：最大予測震度５＋（５強）
“１００”：最大予測震度６−（６弱）
“１０１”：最大予測震度６＋（５強）
“１１０”：最大予測震度７
“１１１”：予測不明などの非通知
【００９６】
送信装置が緊急地震速報を配信するためには、受信機１にとって最小限必要な情報を的確に、且つ、迅速、確実に伝送する必要がある。例えば、強い揺れ（震度５弱以上）が推定される場合に、その規模及び震度４以上が推定される地域名を受信側で知ることを可能とする情報を発信することが所望される。そこで、放送事業者は地上デジタルテレビジョン放送の送信装置によって、上記の「震源の情報」を含む電文情報を多重して伝送する。例えば、放送事業者は地上デジタルテレビジョン放送の送信装置によって、「地震発生時刻」、発生場所（震源の位置情報：「震源の緯度」、「震源の経度」、「震源の深さ」）、及び地震の規模（「マグニチュード」）を、緊急地震速報を識別する起動フラグ信号（速報時に０とし、それ以外は１とする）とともに伝送する。
【００９７】
この場合、詳細情報解析部１３は、図７に示すような緊急地震速報の電文情報、即ち地震源の位置情報（緯度、経度、深さ）及び地震の規模（マグニチュード）と、予め規定することができる地盤増幅度との情報から、予測震度及び強震動（主要動）の到達予測時刻を算出する。更に、詳細情報解析部１３は、地震の発生時刻との足し算で、到達予測時刻の絶対時刻も算出することもできる。
【００９８】
具体的には、詳細情報解析部１３は、次のように予測震度及び強震動（主要動）の到達予測時刻を算出する。
【００９９】
予測震度は、計測震度IINSTRとして次式の非特許文献１に記載の計算式により算出される。
【０１００】
IINSTR＝2.68＋1.72 log(PGV)±0.21                          (１)
【０１０１】
ここで、PGVは地表面での各地点の最大速度［ｃｍ／ｓ］であり、非特許文献１に記載されるように、最大速度減衰式で計算される基準基盤（硬質基盤、Ｓ波速度６００ｍ／ｓ）での最大速度PGV600と国土数値情報にある各対象となる地点での地盤増幅度ARViとの乗算で求められる値である。
【０１０２】
PGV＝1.31 PGV600×ARVi                                     (２)
【０１０３】
尚、非特許文献１に記載されるように、最大速度減衰式は、式（３）で表され、PGV600［ｃｍ／ｓ］の算出に必要となる情報は、マグニチュードM、震源の深さD［ｋｍ］と断層最短距離x［ｋｍ］のみである。
【０１０４】
log(PGV600)＝0.58 (M−0.171)＋0.0038 D−1.29
−log(x＋0.028×100.50(M−0.171))−0.002x        (３)
【０１０５】
受信機１がその位置情報を取得する位置検出部（後述する）を有し、現在受信機１が存在する地点が分かっているとすると、震源の位置情報と受信機１の位置情報によりxを容易に算出することができる。
【０１０６】
また、ARViは地点に依存する値であるので、予め受信機１に記憶されていることで、位置情報に基づき選択利用することができる。
【０１０７】
よって、計測震度IINSTRは、受信機１において未知数である震源の位置情報とマグニチュードを送信側から取得することにより、当該受信機１において容易に算出できる。
【０１０８】
尚、計測震度IINSTRは小数点を含む数値として計算されるので、例えば表１に示すように、震度階級における最大予測震度に変換する。
【０１０９】
【表１】
2010166578.tif 000003
【０１１０】
一方、受信機１のいる地点への地震の発生時刻からの到達予測時刻（到達所要時刻）は、震央距離Δ［ｋｍ］と震源の深さD［ｋｍ］をもとに気象庁が示す走時表（例えばＪＭＡ２００１）を用いて算出することができる。震央距離Δは震源の位置情報（緯度、経度）と当該受信機１の位置情報から算出することができる値である。
【０１１１】
よって、主要動の到達予測時刻は、受信機１において未知数である震源の位置情報と地震の発生時刻が伝達されることにより、当該受信機１において容易に算出することができる。
【０１１２】
再び図７を参照するに、送信装置は、「ＣＲＣ［８］」を伝送することができる。ここでは、緊急地震速報情報（地震動警報情報）に関連した情報を多重している１８番目（起動フラグ）、２０番目から１１４番目（信号識別の他の情報）を生成多項式ｇ（ｘ）＝ｘ８＋ｘ７＋ｘ６＋ｘ４＋ｘ２＋１で求めたＣＲＣパリティビットを伝送する。
【０１１３】
送信装置は、次に「誤り訂正符号［８２］」を伝送する。ここでは、差集合巡回符号等の誤り訂正符号を伝送し、緊急速報伝送の信頼性を向上させる。
【０１１４】
図９に、受信機１における信号識別別の動作を表すフローチャートを示す。受信機１は、前述と同様に起動フラグを監視して（ステップＳ１１）、信号識別を検出する（ステップＳ１２）。緊急地震速報であれば、図７で説明した詳細情報を解析し（ステップＳ１３１）、警報を発報する（ステップＳ１４１）。「信号識別[３]」が、“１００”（緊急警報放送起動信号）であった場合、受信機１は、警報動作を行うと共に受信機１を起動して、放送信号を受信する（ステップＳ１４２）。
【０１１５】
また、受信機１は、「信号識別[３]」が、“１０１”（第１プッシュ型サービス起動信号）か、又は“１１０”（第２プッシュ型サービス起動信号）を識別した場合、受信機１を起動して各プッシュ型サービスのコンテンツを受信する。
【０１１６】
このように、「信号識別」の判定の結果、「緊急警報放送」と判定した場合には、別途定められた警告発生部１４で情報を伝達するとともに、受信機１の表示画面も起動する。また、緊急速報の伝送とは別の利用用途として、「信号識別」の判定識別の対象に「プッシュ型コンテンツ配信」の識別子を定めることで、緊急速報とは別に、受信機１を強制起動させて個別のサービスを提供可能に実現することもできる。
【０１１７】
受信機１の詳細情報解析部１３には、位置検出部（図示せず）を設けることも好適である。特に、受信機１の詳細情報解析部１３が当該受信機１の現在位置を検出する位置検出部を有する場合には、受信機１が受信したＡＣ信号からの地域情報と、位置検出部が検出した位置情報を比較して、受信信号が受信した情報の確からしさを判定することもできる。位置検出部は、当該受信機１の地域的な位置を表す位置情報を検出する。好適に、位置検出部は、電文情報に記載の「放送地域識別」内の放送事業者識別により県域或いは広域の地域を把握する。より詳細には、例えば、当該受信機１は、詳細情報解析部１３が判別した電文情報に記載の当該「放送地域識別」に基づく放送地域と、位置検出部が判別した当該受信機１の位置情報とを照合し、受信した信号の確からしさを検証した後に、警告発生部１４に対して警告を発するように指示することができる。
好適に、位置検出部は、固定受信においては、設置時に受信機を常設する位置情報を設定入力する機能を付加してもよい。或いはＧＰＳ（Ｇｌｏｂａｌ Ｐｏｓｉｔｉｏｎｉｎｇ Ｓｙｓｔｅｍ）による位置検出などを備えてもよい。常設タイプの装置（置時計など）に、本実施例の受信機を組み入れる場合にも同様である。移動又は携帯受信においては、ＧＰＳによる位置検出を付加するか、或いは、無線ＬＡＮなどの他の無線通信機能を備えホットスポット情報（場所を認識可能な場合、場所の手入力も含む）などにより自身の位置を検出することもできる。更に、携帯電話に本実施例の受信機１を組み入れる場合、携帯電話の接続する基地局情報を用いて、位置情報を得ることができる。
なお、本実施例１を含み本発明の各実施例の説明において、緊急速報の情報はＩＳＤＢ−Ｔ方式の地上デジタルテレビジョン放送波の部分受信セグメント（セグメント番号＃０）内のＡＣ信号により送出されるとしている。携帯電話など移動・携帯端末の多くでは、この部分受信セグメント（セグメント番号＃０）を受信して番組を視聴する（ワンセグサービス）。よって、携帯電話などに具備される本発明の各実施例の受信機１は、緊急速報の情報を伝送するＡＣ信号を受信できる。
一方、他のセグメントを受信する固定受信向けのデジタルテレビなどに具備される本発明の各実施例の受信機１においても、ＡＣ信号については部分受信セグメント内のものを受信することにより、緊急速報の情報を受信できる。
【０１１８】
また、受信機１の詳細情報解析部１３には、現在時刻検出部（図示せず）を設けることも好適である。現在時刻検出部は、当該受信機１の現在時刻を表す現在時刻情報を検出する。好適に、現在時刻検出部は、電文情報に記載の「地震詳細情報（震源の情報）」内の地震発生時刻を把握する。より詳細には、例えば、当該受信機１は、詳細情報解析部１３が判別した電文情報に記載の当該「地震詳細情報（震源の情報）」に基づく地震発生時刻と、現在時刻検出部が判別した当該受信機１の現在時刻情報とを照合し、受信した信号の確からしさを検証した後に、警告発生部１４に対して警告を発するように指示することができる。
好適に、現在時刻検出部は、受信機１の入力による時刻設定、標準電波（電波時計、ＪＪＹ）、ＧＰＳ、或いは受信している地上デジタル放送波の受信信号に含まれるＴＤＴ（Ｔｉｍｅ Ｄａｔｅ Ｔａｂｌｅ）或いはＴＯＴ（Ｔｉｍｅ Ｏｆｆｓｅｔ Ｔａｂｌｅ）などから現在時刻情報を検出することができる。或いは、現在時刻検出部は、受信機１が携帯電話に具備される場合、基地局からの信号により現在の時刻を検出することができる。
【０１１９】
このように、本発明によれば、送信装置は、必要とされる詳細情報を効率よく伝送し、受信機１は、信号識別に応じて適切な受信動作をするように機能させることができ、緊急速報が出て、放送局が電波に載せる時間並びに送信と受信のタイミングのずれを考慮しても、１〜２秒程度の短時間での速やかな緊急速報の伝送が可能となる。
【０１２０】
尚、以上の説明においては、ＡＣキャリアを用いて行う、緊急速報の情報を含めた伝送事例を紹介したが、警報のみを主眼においてＴＭＣＣ信号のリザーブビットなどに適用することも可能である。
【０１２１】
次に、本発明による実施例２の伝送システムについて説明する。尚、本実施例の伝送システムにおける送信装置は、実施例１の伝送システムにおける送信装置と同様に、ＩＳＤＢ−Ｔ方式の地上デジタルテレビジョン放送に係る送信装置のハードウェア構成として既知であり、図示しない。しかしながら、伝送制御情報（ＴＭＣＣ又はＡＣ）を用いて電文情報を伝送する送信装置、及びこの電文情報を受信して特有の動作を行う受信機１、並びにこれらの送信装置及び受信機１から構成される伝送システムは、以下に説明するように、特有の機能を発揮する。
【実施例２】
【０１２２】
図１０及び図１１は、本発明による実施例２の伝送システムにおける電文情報の構成例を表す図である。図１２は、本発明による実施例２の伝送システムにおける受信機を示す図である。図１３は、本発明による実施例２の受信機における信号識別別の動作を表すフローチャートである。
【０１２３】
図１０は、実施例２の伝送システムにおける電文情報の構成例として、「差動復調の基準」、「同期信号」、「起動フラグ」、「情報内容更新フラグ」、「信号識別」、「地震動警報詳細情報」、「ＣＲＣ」、及び「誤り訂正用パリティビット」で構成されている。実施例１との相違点は、「起動フラグ」の直後に「情報内容更新フラグ」を設けている点と、「地震動警報詳細情報」として、「現在時刻」、「ページ種別」、及び「地震動情報」を配置している点である。各情報に割り当てるビット値についても相違する。ただし、実施例２の構成は、実施例１の構成の全ての利点を包含するものであり、相違点についてのみ主に説明する。
【０１２４】
「差動復調の基準」及び「同期信号」は、実施例１と同様に、既存のＴＭＣＣと同一である。
【０１２５】
本例の「起動フラグ」は、２ビットで構成され、‘００’が「緊急速報あり」を示し、‘１１’が「緊急速報なし」を示す。従って、起動フラグ信号は、緊急速報（例えば、地震動警報情報）の伝送の開始／終了を示すフラグ（開始／終了フラグ）として機能する。なお、地震動警報情報の伝送に特化したフォーマットであることから、「信号識別」のうち‘１００’から‘１１０’を運用せず、緊急地震速報（或いは地震動警報）に特化して、「起動フラグ」の各値‘００’及び ‘１１’を各々「地震動警報有り」、「地震動警報無し」と判断してもよい。
【０１２６】
「情報内容更新フラグ」は、２ビットで構成され、「起動フラグ」が‘００’である場合に「地震動警報詳細情報」の内容に変更が生じるごとに１ずつ増加するものとし、‘００’，‘０１’，‘１０’，‘１１’の順に変化する。「起動フラグ」が‘１１’である場合には「情報内容更新フラグ」も‘１１’とする。これにより、受信機側では、情報内容に変更があったか否かを「地震動警報詳細情報」まで復号することなく判別することができるようになる。
【０１２７】
「信号識別」は、実施例１と同様に、階層的に「地震動警報詳細情報」の内容を判別することを可能とする。例えば、図１１に示すように、「地震動詳細情報」の情報や、「放送事業者識別」の情報を階層的に識別できるようにする。尚、「放送事業者識別」は、当該電文情報を送信する放送局を特定するのに用いる。
【０１２８】
本実施例では、「地震動警報詳細情報」として、「現在時刻情報」、「ページ種別」、及び「地震動情報」を配置している。
【０１２９】
「現在時刻」の情報は、送信装置が、当該電文情報を送信する時刻を表すビット値を伝送する。後述するように、受信機側で、この伝送された「現在時刻」と、受信機側の「現在時刻」とを照合させることにより、当該伝送された「地震動情報」が正規に伝送されたものであるか否かの検証に用いることができる。
【０１３０】
「ページ種別」は、階層的な情報形態で構成された「地震動情報」の階層を識別するのに用いる。この「ページ種別」は、実施例１における「ページ番号」の機能と対応する。
【０１３１】
例えば、図１１に示すように、「ページ種別」の情報から、図１４及び図１５で例示した「放送エリア内地域情報」や「地方情報」などの情報からなる「地震動情報♯１」と、前述した「地震基本情報」及び「地震詳細情報」からなる「地震動情報♯２」とを識別可能にする。これらの詳細な情報の意味は、実施例１と同様である。
【０１３２】
次に、図１２を参照して、実施例２の伝送システムにおける受信機１について説明する。実施例２に係る受信機１は、図１０及び図１１に示す電文情報を受信して動作する。
【０１３３】
図１２において、実施例２に係る受信機１は、実施例１の受信機１と同様に構成することができ、同一の参照番号を付している。ただし、実施例２に係る送信装置が、「地震動警報詳細情報」として、「現在時刻情報」、「ページ種別」及び「地震動情報」を伝送している場合を想定しており、実施例２に係る受信機１の詳細情報解析部１３は、現在時刻照合部１３１と、ページ種別判別部１３２と、地震情報解析部１３３とを備える。
【０１３４】
実施例２に係る受信機１の動作を、図１３を参照して説明する。ステップＳ２１及びＳ２２の動作は、実施例１におけるステップＳ１及びＳ２と同様であり、「信号識別」によって判別された信号種別の「現在時刻」及び「ページ種別」の情報を含む「地震動情報♯１」及び「地震動情報♯２」を取得する場合を説明する。
【０１３５】
ステップＳ２３にて、現在時刻照合部１３１は、好適に、前述の現在時刻検出部を備え、本実施例２では、伝送された電文情報に含まれる「現在時刻」の情報と、現在時刻検出部によって取得した受信機１側の「現在時刻」の情報とを照合する。照合結果が合致すると判断される場合、当該伝送された「地震動情報」が正規に伝送されたものであると検証することができる。尚、伝送された電文情報に含まれる「現在時刻」の情報と、受信機１側の「現在時刻」の情報とを照合において、秒単位で一致することが必ず必要ではないため、受信機１において比較検証に用いる許容範囲を予め設定するように構成することもできる。現在時刻の情報が合致しない場合は、「起動フラグ」の監視の動作モードへと移行する。
【０１３６】
ステップＳ２４にて、ページ種別判別部１３２は、現在時刻照合部１３１によって現在時刻の情報が合致すると判断した場合に、「ページ種別」の情報を判別する。これにより、「現在時刻の情報が合致していない場合］、電文情報の復号動作等の余分な動作を行う必要がなくなり、誤報防止、なりすまし防止、或いは省電力化の効果が得られる。
【０１３７】
ステップＳ２５にて、地震情報解析部１３３は、「放送エリア内地域情報」や「地方情報」などの情報からなる「地震動情報♯１」と、前述した「地震基本情報」及び「地震詳細情報」からなる「地震動情報♯２」とを識別する。
【０１３８】
ステップＳ２５にて、例えば警告発生部１４によって、「ページ種別」の情報に応じた「地震動情報」を表示等させる。
【０１３９】
このように、実施例２の伝送システムにおいては、「現在時刻」の検証結果を元に、正規の電文情報であるか否かを検証できるようにするとともに、「信号識別」や「ページ種別」の情報に応じた階層的な情報を伝送可能にする。特に、限られたビット数の伝送制御信号（ＴＭＣＣ信号又はＡＣ信号）では極めて効率的な情報伝送が可能となる。
【０１４０】
上述の各実施例から、幾つかの変形例の伝送システムを構築することができる。
【０１４１】
例えば、第１の態様の伝送システムにおいて、地上デジタルテレビジョン放送波の伝送制御信号を用いて緊急速報を送信する送信装置は、緊急速報の有無を識別するフラグと、該フラグの後に緊急速報の種別を識別可能な信号識別とを含む緊急速報を格納する電文情報を設定し、電文情報を地上デジタルテレビジョン放送波の伝送制御信号にて伝送する送信装置として構成することができる。
【０１４２】
この第１の態様の伝送システムにおいて、地上デジタルテレビジョン放送波から伝送制御信号を受信する受信機は、緊急速報の有無を識別するフラグと、緊急速報の種別を識別可能な信号識別とを含む緊急速報を格納する電文情報が、伝送制御信号にて伝送されるように予め規定されている場合に、地上デジタルテレビジョン放送波を受信して伝送制御信号を抽出し、伝送制御信号に含まれる電文情報の信号識別の複数種類の情報を判別し、判別した種類の緊急速報の内容を解析する受信機として構成することができる。
【０１４３】
また、第２の態様の伝送システムにおいて、地上デジタルテレビジョン放送波の伝送制御信号を用いて緊急速報を送信する送信装置は、緊急速報の有無を識別するフラグと、該フラグの後に緊急速報の種別を識別可能な信号識別とを含む緊急速報を格納する電文情報を設定し、電文情報を地上デジタルテレビジョン放送波の伝送制御信号にて伝送する際に、正規の電文情報であるか否かを受信側で検証させるために、この信号識別によって識別される緊急速報の情報内に、該緊急速報を伝送する際の現在時刻の情報を含めて伝送する送信装置として構成することができる。
【０１４４】
この第２の態様の伝送システムにおいて、地上デジタルテレビジョン放送波から伝送制御信号を受信する受信機は、緊急速報の有無を識別するフラグと、緊急速報の種別を識別可能な信号識別と、正規の電文情報であるか否かの検証のために、前記信号識別によって識別される緊急速報の情報内に、該緊急速報を伝送する際の現在時刻の情報とを含む緊急速報を格納する電文情報が、伝送制御信号にて伝送されるように予め規定されている場合に、地上デジタルテレビジョン放送波を受信して前記伝送制御信号を抽出し、伝送制御信号に含まれる電文情報の信号識別の複数種類の情報を判別し、判別した種類の緊急速報の内容を解析する際に、電文情報内の現在時刻の情報と、受信機側の現在時刻の情報とを照合して合致する場合に、この判別した種類の緊急速報の内容を解析する受信機として構成することができる。
【０１４５】
また、第３の態様の伝送システムにおいて、地上デジタルテレビジョン放送波の伝送制御信号を用いて緊急速報を送信する送信装置は、緊急速報の有無を識別するフラグと、該フラグの後に緊急速報の種別を識別可能な信号識別とを含む緊急速報を格納する電文情報を設定し、電文情報を地上デジタルテレビジョン放送波の伝送制御信号にて伝送する際に、この信号識別によって伝送する緊急速報を階層化して伝送するとともに、階層化された緊急速報を更に階層化して伝送するための識別子としてのページ種別の情報を含めて伝送する送信装置として構成することができる。
【０１４６】
この第３の態様の伝送システムにおいて、地上デジタルテレビジョン放送波から伝送制御信号を受信する受信機は、緊急速報の有無を識別するフラグと、緊急速報の種別を識別可能な信号識別と、前記信号識別によって伝送する緊急速報を階層化して伝送するとともに、階層化された緊急速報を更に階層化して伝送するための識別子としてのページ種別の情報とを含む緊急速報を格納する電文情報が、伝送制御信号にて伝送されるように予め規定されている場合に、地上デジタルテレビジョン放送波を受信して前記伝送制御信号を抽出し、伝送制御信号に含まれる電文情報の信号識別の複数種類の情報を判別し、この判別した種類の緊急速報の内容を解析する際に、ページ種別の情報に基づいて、信号識別によって階層化された緊急速報を解析するとともに、該階層化された緊急速報を更に階層化された情報を解析する受信機として構成することができる。
【０１４７】
また、第４の態様の伝送システムにおいて、地上デジタルテレビジョン放送波の伝送制御信号を用いて緊急速報を送信する送信装置は、緊急速報の有無を識別するフラグと、該フラグの後に緊急速報の種別を識別可能な信号識別とを含む緊急速報を格納する電文情報を設定し、異なる地震情報を地上デジタルテレビジョン放送波の伝送制御信号の複数フレームにわたって伝送する際に、複数フレームにわたって前記異なる地震情報を伝送する際に、１つのフレームが何番目の地震情報を示しているかを表す地震情報番号を含めて伝送する送信装置として構成することができる。
【０１４８】
この第４の態様の伝送システムにおいて、地上デジタルテレビジョン放送波から伝送制御信号を受信する受信機は、緊急速報の有無を識別するフラグと、緊急速報の種別を識別可能な信号識別とを含む緊急速報を格納する電文情報が、異なる地震情報を伝送制御信号の複数フレームにわたって伝送される際に、各フレームが何番目の地震情報を示しているかを表す地震情報番号を含むように予め規定されている場合に、地上デジタルテレビジョン放送波を受信して前記伝送制御信号を抽出し、伝送制御信号に含まれる電文情報の信号識別の複数種類の情報を判別し、この判別した種類の緊急速報の内容を解析する際に、地震情報番号の情報に基づいて、受信する現在のフレームが何番目の地震情報を示しているかを解析する受信機として構成することができる。
【０１４９】
従って、上述の実施例については特定の符号化方式を代表的な例として説明したが、本発明の趣旨及び範囲内で、多くの変形及び置換をすることができることは当業者に明らかである。例えば、上述した実施例では、本発明の理解を容易にするために、本発明に係る受信機を、例えば携帯電話に具備させることが可能であるとして説明したが、当該携帯電話が予め有する復調及び復号機能に本発明に係る受信機の機能を統合させることもできる。例えば、当該携帯電話が待機モードである場合には、上述の実施例と同様に動作させることができ、或いは又、当該携帯電話が通常動作モードである場合には、電文情報におけるフラグの値の判定に応じて、電源供給制御を行うことなく、緊急速報を復号し、当該携帯電話の位置する地域の震度及び到達時間の予測情報を計算し、警告を発するようにしてもよい。従って、本発明は、上述の実施例によって制限するものと解するべきではなく、特許請求の範囲によってのみ制限される。
【産業上の利用可能性】
【０１５０】
本発明による受信機及び送信装置は、迅速、且つ、確実な緊急地震速報の伝達を可能とするので、所定の伝送制御信号を用いる伝送方式の用途に有用である。
【符号の説明】
【０１５１】
１  受信機
２  伝送制御信号同期確立部
３  緊急速報解析部
４  同期保護電源制御部
５  アンテナ
６  周波数変換部
７  ＡＤ変換部
８  ＦＦＴ
９  伝送制御信号抽出部
１１  緊急情報抽出判定部
１２  誤り訂正部
１３  詳細情報解析部
１４  警告発生部
１５  フレーム同期検出部
１６  起動フラグ復調部
１７  フレーム同期保持部
１８  タイミング制御部
１９  起動フラグ監視部
２０  電源制御部
２１  電源
２２  第１の電源スイッチ
２３  第２の電源スイッチ
２５  第３の電源スイッチ
１３１  現在時刻照合部
１３２  ページ種別判別部
１３３  地震情報解析部
【図１】
2010166578.tif 000004
【図２】
2010166578.tif 000005
【図３】
2010166578.tif 000006
【図４】
2010166578.tif 000007
【図５】
2010166578.tif 000008
【図６】
2010166578.tif 000009
【図７】
2010166578.tif 000010
【図８】
2010166578.tif 000011
【図９】
2010166578.tif 000012
【図１０】
2010166578.tif 000013
【図１１】
2010166578.tif 000014
【図１２】
2010166578.tif 000015
【図１３】
2010166578.tif 000016
【図１４】
2010166578.tif 000017
【図１５】
2010166578.tif 000018